【手続補正書】
【提出日】令和1年7月31日(2019.7.31)
【手続補正１】
【補正対象書類名】特許請求の範囲
【補正対象項目名】全文
【補正方法】変更
【補正の内容】
【特許請求の範囲】
【請求項１】
基地局におけるワイヤレス通信のための方法であって、
複数のサブフレーム中で狭帯域通信のために時間リソースおよび周波数リソースを識別することと、
複数のユーザ機器（ＵＥ）デバイスを識別することと、
アップリンク（ＵＬ）制御情報を搬送するために、前記時間リソースおよび前記周波数リソースのうちの少なくとも第１の部分をＵＬチャネルに割り振ることと、
前記ＵＬチャネルのリソースを前記識別された複数のＵＥデバイスに割り振ることと
ここにおいて、前記割り振られたリソースは、前記識別された複数のＵＥデバイスのためのシングルトーン割振りを含み、
ここにおいて、前記狭帯域通信は、狭帯域ＬＴＥ（ＮＢ−ＬＴＥ）通信、マシンツーマシン（Ｍ２Ｍ）通信、および狭帯域モノのインターネット（ＮＢ−ＩｏＴ）通信のうちの１つを含む、
を備える、方法。
【請求項２】
前記ＵＬチャネル上で、前記複数のＵＥデバイスのうちの１つまたは複数から、ダウンリンク肯定応答（ＡＣＫ）とダウンリンク否定応答（ＮＡＫ）の一方または両方を受信すること
をさらに備える、請求項１に記載の方法。
【請求項３】
前記ＵＬチャネルを、時間領域と周波数領域の一方または両方において、物理アップリンク共有チャネル（ＰＵＳＣＨ）、物理ランダムアクセスチャネル（ＰＲＡＣＨ）、サウンディング基準信号（ＳＲＳ）、またはそれらの組合せと多重化すること
をさらに備える、請求項１に記載の方法。
【請求項４】
前記ＵＬチャネルが専用物理アップリンク制御チャネル（ＰＵＣＣＨ）を備える、請求項１に記載の方法。
【請求項５】
前記ＵＬチャネルの同数のリソースを基準シンボル送信およびデータシンボル送信に割り振ること
をさらに備える、請求項１に記載の方法。
【請求項６】
前記ＵＬチャネル上で、並列に、前記複数のＵＥデバイスからシングルトーン送信を受信すること
をさらに備える、請求項１に記載の方法。
【請求項７】
前記ＵＬチャネル上で並列に、前記複数のＵＥデバイスのうちのＵＥデバイスから、複数のシングルトーン送信を受信すること
をさらに備える、請求項１に記載の方法。
【請求項８】
前記時間リソースおよび前記周波数リソースのうちの少なくとも前記第１の部分を前記ＵＬチャネルに割り振ることが、
前記複数のサブフレーム中の第１のスロットおよび第２のスロットについて、周波数リソースの同じセットを前記ＵＬチャネルに割り振ること、または、前記複数のサブフレーム中のあるサブフレームから別のサブフレームにかけて、周波数リソースの同じセットを前記ＵＬチャネルに割り振ること、
を備える、請求項１に記載の方法。
【請求項９】
前記ＵＬチャネルのリソースを前記複数のＵＥデバイスに割り振ることが、
イントラリソースブロック周波数ホッピングを使用して、前記ＵＬチャネルのリソースを前記複数のＵＥデバイスに割り振ること
を備える、請求項１に記載の方法。
【請求項１０】
前記複数のＵＥデバイスに割り振られた前記ＵＬチャネルの前記時間リソースおよび前記周波数リソースが、バンドルされた送信時間間隔（ＴＴＩ）を備える、請求項１に記載の方法。
【請求項１１】
サウンディング基準信号（ＳＲＳ）の測定、前記狭帯域通信のアップリンクのためのチャネル品質情報（ＣＱＩ）、物理アップリンク共有チャネル（ＰＵＳＣＨ）上で受信されたＣＱＩ、またはそれらの組合せに少なくとも部分的に基づいて、前記狭帯域通信の少なくとも１つのダウンリンクのためのチャネル状態情報（ＣＳＩ）を概算すること
をさらに備える、請求項１に記載の方法。
【請求項１２】
前記ＵＬチャネルのリソースを前記複数のＵＥデバイスに割り振ることが、
前記ＵＥデバイスに関連するカバレージ向上（ＣＥ）レベルに少なくとも部分的に基づいて、前記ＵＬチャネルのリソースを前記複数のＵＥデバイスのうちのＵＥデバイスに割り振ること
を備える、請求項１に記載の方法。
【請求項１３】
基地局におけるワイヤレス通信のための装置であって、
プロセッサと、
前記プロセッサに結合されたメモリと、
前記メモリに記憶された命令と
を備え、前記命令が、前記装置に、
複数のサブフレーム中で狭帯域通信のために時間リソースおよび周波数リソースを識別することと、
複数のユーザ機器（ＵＥ）デバイスを識別することと、
アップリンク（ＵＬ）制御情報を搬送するために、前記時間リソースおよび前記周波数リソースのうちの少なくとも第１の部分をＵＬチャネルに割り振ることと、
前記ＵＬチャネルのリソースを前記識別された複数のＵＥデバイスに割り振ることとを行わせるために前記プロセッサによって実行可能であり、
ここにおいて、前記割り振られたリソースは、前記識別された複数のＵＥデバイスのためのシングルトーン割振りを含み、
ここにおいて、前記狭帯域通信は、狭帯域ＬＴＥ（ＮＢ−ＬＴＥ）通信、マシンツーマシン（Ｍ２Ｍ）通信、および狭帯域モノのインターネット（ＮＢ−ＩｏＴ）通信のうちの１つを含む、
装置。
【請求項１４】
ユーザ機器（ＵＥ）デバイスにおけるワイヤレス通信のための方法であって、
複数のサブフレーム中で狭帯域通信のために時間リソースおよび周波数リソースを識別することと、
前記ＵＥデバイスのためのアップリンク（ＵＬ）制御情報を搬送するために、ＵＬチャネルに割り振られた前記時間リソースおよび前記周波数リソースのうちの少なくとも第１の部分の指示を受信することと、ここにおいて、前記第１の部分は前記ＵＥのためのシングルトーン割振りを含み、
前記ＵＬチャネル上で、ダウンリンク肯定応答（ＡＣＫ）とダウンリンク否定応答（ＮＡＫ）の一方または両方を送信することと、
ここにおいて、前記狭帯域通信は、狭帯域ＬＴＥ（ＮＢ−ＬＴＥ）通信、マシンツーマシン（Ｍ２Ｍ）通信、および狭帯域モノのインターネット（ＮＢ−ＩｏＴ）通信のうちの１つを含む、
を備える、方法。
【請求項１５】
ユーザ機器（ＵＥ）デバイスにおけるワイヤレス通信のための装置であって、
プロセッサと、
前記プロセッサと電子通信しているメモリと、
前記メモリに記憶された命令と
を備え、前記命令が、
複数のサブフレーム中で狭帯域通信のために時間リソースおよび周波数リソースを識別することと、
前記ＵＥデバイスのためのアップリンク（ＵＬ）制御情報を搬送するために、ＵＬチャネルに割り振られた前記時間リソースおよび前記周波数リソースのうちの少なくとも第１の部分の指示を受信することと、ここにおいて、前記第１の部分は前記ＵＥのためのシングルトーン割振りを含み、
前記ＵＬチャネル上で、ダウンリンク肯定応答（ＡＣＫ）とダウンリンク否定応答（ＮＡＫ）の一方または両方を送信することと、
ここにおいて、前記狭帯域通信は、狭帯域ＬＴＥ（ＮＢ−ＬＴＥ）通信、マシンツーマシン（Ｍ２Ｍ）通信、および狭帯域モノのインターネット（ＮＢ−ＩｏＴ）通信のうちの１つを含む、
を行うために前記プロセッサによって実行可能である、
装置。
【手続補正２】
【補正対象書類名】明細書
【補正対象項目名】０１９０
【補正方法】変更
【補正の内容】
【０１９０】
[00210]本開示についての以上の説明は、当業者が本開示を作成または使用することができるように与えられた。本開示への様々な変更は当業者には容易に明らかになり、本明細書で定義された一般原理は、本開示の趣旨または範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明された例および設計に限定されるべきでなく、本明細書で開示された原理および新規の特徴に合致する最も広い範囲を与えられるべきである。
以下に本願の出願当初の特許請求の範囲に記載された発明を付記する。
[Ｃ１]  基地局におけるワイヤレス通信のための方法であって、
複数のサブフレーム中で狭帯域通信のために時間リソースおよび周波数リソースを識別することと、
複数のユーザ機器（ＵＥ）デバイスを識別することと、
アップリンク（ＵＬ）制御情報を搬送するために、前記時間リソースおよび前記周波数リソースのうちの少なくとも第１の部分をＵＬチャネルに割り振ることと、
前記ＵＬチャネルのリソースを前記識別された複数のＵＥデバイスに割り振ることとを備える、方法。
[Ｃ２]  前記ＵＬチャネル上で、前記複数のＵＥデバイスのうちの１つまたは複数から、ダウンリンク肯定応答（ＡＣＫ）とダウンリンク否定応答（ＮＡＫ）の一方または両方を受信すること
をさらに備える、Ｃ１に記載の方法。
[Ｃ３]  前記ＵＬチャネルを、時間領域と周波数領域の一方または両方において、物理アップリンク共有チャネル（ＰＵＳＣＨ）、物理ランダムアクセスチャネル（ＰＲＡＣＨ）、サウンディング基準信号（ＳＲＳ）、またはそれらの組合せと多重化すること
をさらに備える、Ｃ１に記載の方法。
[Ｃ４]  前記ＵＬチャネルが専用物理アップリンク制御チャネル（ＰＵＣＣＨ）を備える、Ｃ１に記載の方法。
[Ｃ５]  前記ＵＬチャネルの同数のリソースを基準シンボル送信およびデータシンボル送信に割り振ること
をさらに備える、Ｃ１に記載の方法。
[Ｃ６]  前記ＵＬチャネルのリソースを前記複数のＵＥデバイスに割り振ることが、
時間領域におけるクロススロット符号分割多重化（ＣＤＭ）、周波数領域におけるＣＤＭ、周波数領域多重化（ＦＤＭ）、またはそれらの組合せを使用して、前記ＵＬチャネルのリソースを前記複数のＵＥデバイスに割り振ること
を備える、Ｃ１に記載の方法。
[Ｃ７]  前記ＵＬチャネル上で、前記複数のＵＥデバイスからマルチプルトーン送信を受信すること
をさらに備える、Ｃ１に記載の方法。
[Ｃ８]  前記ＵＬチャネル上で、並列に、前記複数のＵＥデバイスからシングルトーン送信を受信すること
をさらに備える、Ｃ１に記載の方法。
[Ｃ９]  前記ＵＬチャネル上で並列に、前記複数のＵＥデバイスのうちのＵＥデバイスから、複数のシングルトーン送信を受信すること
をさらに備える、Ｃ１に記載の方法。
[Ｃ１０]  前記時間リソースおよび前記周波数リソースのうちの少なくとも前記第１の部分を前記ＵＬチャネルに割り振ることが、
前記複数のサブフレーム中の第１のスロットおよび第２のスロットについて、周波数リソースの同じセットを前記ＵＬチャネルに割り振ること
を備える、Ｃ１に記載の方法。
[Ｃ１１]  前記時間リソースおよび前記周波数リソースのうちの少なくとも前記第１の部分を前記ＵＬチャネルに割り振ることが、
前記複数のサブフレーム中のあるサブフレームから別のサブフレームにかけて、周波数リソースの同じセットまたは周波数リソースの異なるセットを前記ＵＬチャネルに割り振ること
を備える、Ｃ１に記載の方法。
[Ｃ１２]  前記ＵＬチャネルのリソースを前記複数のＵＥデバイスに割り振ることが、
イントラリソースブロック周波数ホッピングを使用して、前記ＵＬチャネルのリソースを前記複数のＵＥデバイスに割り振ること
を備える、Ｃ１に記載の方法。
[Ｃ１３]  前記複数のＵＥデバイスに割り振られた前記ＵＬチャネルの前記時間リソースおよび前記周波数リソースが、バンドルされた送信時間間隔（ＴＴＩ）を備える、Ｃ１に記載の方法。
[Ｃ１４]  サウンディング基準信号（ＳＲＳ）の測定、前記狭帯域通信のアップリンクのためのチャネル品質情報（ＣＱＩ）、物理アップリンク共有チャネル（ＰＵＳＣＨ）上で受信されたＣＱＩ、またはそれらの組合せに少なくとも部分的に基づいて、前記狭帯域通信の少なくとも１つのダウンリンクのためのチャネル状態情報（ＣＳＩ）を概算すること
をさらに備える、Ｃ１に記載の方法。
[Ｃ１５]  前記ＵＬチャネルのリソースを前記複数のＵＥデバイスに割り振ることが、
前記ＵＥデバイスに関連するカバレージ向上（ＣＥ）レベルに少なくとも部分的に基づいて、前記ＵＬチャネルのリソースを前記複数のＵＥデバイスのうちのＵＥデバイスに割り振ること
を備える、Ｃ１に記載の方法。
[Ｃ１６]  前記複数のサブフレームの各サブフレームの各シンボル期間中に、サウンディング基準信号（ＳＲＳ）を送信すること
をさらに備える、Ｃ１に記載の方法。
[Ｃ１７]  基地局におけるワイヤレス通信のための装置であって、
プロセッサと、
前記プロセッサと電子通信しているメモリと、
前記メモリに記憶された命令と
を備え、前記命令が、前記装置に、
複数のサブフレーム中で狭帯域通信のために時間リソースおよび周波数リソースを識別することと、
複数のユーザ機器（ＵＥ）デバイスを識別することと、
アップリンク（ＵＬ）制御情報を搬送するために、前記時間リソースおよび前記周波数リソースのうちの少なくとも第１の部分をＵＬチャネルに割り振ることと、
前記ＵＬチャネルのリソースを前記識別された複数のＵＥデバイスに割り振ることとを行わせるために前記プロセッサによって実行可能である、
装置。
[Ｃ１８]  前記命令が、
前記ＵＬチャネル上で、前記複数のＵＥデバイスのうちの１つまたは複数から、ダウンリンク肯定応答（ＡＣＫ）とダウンリンク否定応答（ＮＡＫ）の一方または両方を受信する
ために前記プロセッサによって実行可能である、Ｃ１７に記載の装置。
[Ｃ１９]  前記命令が、
前記ＵＬチャネルを、時間領域と周波数領域の一方または両方において、物理アップリンク共有チャネル（ＰＵＳＣＨ）、物理ランダムアクセスチャネル（ＰＲＡＣＨ）、サウンディング基準信号（ＳＲＳ）、またはそれらの組合せと多重化する
ために前記プロセッサによって実行可能である、Ｃ１７に記載の装置。
[Ｃ２０]  前記ＵＬチャネルが専用物理アップリンク制御チャネル（ＰＵＣＣＨ）を備える、Ｃ１７に記載の装置。
[Ｃ２１]  前記命令が、
前記ＵＬチャネルの同数のリソースを基準シンボル送信およびデータシンボル送信に割り振る
ために前記プロセッサによって実行可能である、Ｃ１７に記載の装置。
[Ｃ２２]  前記ＵＬチャネルのリソースを前記複数のＵＥデバイスに割り振るために前記プロセッサによって実行可能な前記命令が、
時間領域におけるクロススロット符号分割多重化（ＣＤＭ）、周波数領域におけるＣＤＭ、周波数領域多重化（ＦＤＭ）、またはそれらの組合せを使用して、前記ＵＬチャネルのリソースを前記複数のＵＥデバイスに割り振る
ために前記プロセッサによって実行可能な命令を備える、Ｃ１７に記載の装置。
[Ｃ２３]  前記時間リソースおよび前記周波数リソースのうちの少なくとも前記第１の部分を前記ＵＬチャネルに割り振るために前記プロセッサによって実行可能な前記命令が、
前記複数のサブフレーム中の第１のスロットおよび第２のスロットについて、周波数リソースの同じセットを前記ＵＬチャネルに割り振る
ために前記プロセッサによって実行可能な命令を備える、Ｃ１７に記載の装置。
[Ｃ２４]  前記時間リソースおよび前記周波数リソースのうちの少なくとも前記第１の部分を前記ＵＬチャネルに割り振るために前記プロセッサによって実行可能な前記命令が、
前記複数のサブフレーム中のあるサブフレームから別のサブフレームにかけて、周波数リソースの同じセットまたは周波数リソースの異なるセットを前記ＵＬチャネルに割り振る
ために前記プロセッサによって実行可能な命令を備える、Ｃ１７に記載の装置。
[Ｃ２５]  前記ＵＬチャネルのリソースを前記複数のＵＥデバイスに割り振るために前記プロセッサによって実行可能な前記命令が、
イントラリソースブロック周波数ホッピングを使用して、前記ＵＬチャネルのリソースを前記複数のＵＥデバイスに割り振る
ために前記プロセッサによって実行可能な命令をさらに備える、Ｃ１７に記載の装置。
[Ｃ２６]  前記複数のＵＥデバイスに割り振られた前記ＵＬチャネルの前記時間リソースおよび前記周波数リソースが、バンドルされた送信時間間隔（ＴＴＩ）を備える、Ｃ１７に記載の装置。
[Ｃ２７]  前記ＵＬチャネルのリソースを前記複数のＵＥデバイスに割り振るために前記プロセッサによって実行可能な前記命令が、
前記ＵＥデバイスに関連するカバレージ向上（ＣＥ）レベルに少なくとも部分的に基づいて、前記ＵＬチャネルのリソースを前記複数のＵＥデバイスのうちのＵＥデバイスに割り振る
ために前記プロセッサによって実行可能な命令をさらに備える、Ｃ１７に記載の装置。
[Ｃ２８]  ユーザ機器（ＵＥ）デバイスにおけるワイヤレス通信のための方法であって、
複数のサブフレーム中で狭帯域通信のために時間リソースおよび周波数リソースを識別することと、
前記ＵＥデバイスのためのアップリンク（ＵＬ）制御情報を搬送するために、ＵＬチャネルに割り振られた前記時間リソースおよび前記周波数リソースのうちの少なくとも第１の部分の指示を受信することと、
前記ＵＬチャネル上で、ダウンリンク肯定応答（ＡＣＫ）とダウンリンク否定応答（ＮＡＫ）の一方または両方を送信することと
を備える、方法。
[Ｃ２９]  物理アップリンク共有チャネル（ＰＵＳＣＨ）を送信することをさらに備え、ここにおいて、前記ＵＬチャネルが前記ＰＵＳＣＨと多重化される、
Ｃ２８に記載の方法。
[Ｃ３０]  前記ＵＬチャネルが専用物理アップリンク制御チャネル（ＰＵＣＣＨ）を備える、Ｃ２８に記載の方法。
[Ｃ３１]  前記ＵＬチャネル上で同数の基準シンボルおよびデータシンボルを送信すること
をさらに備える、Ｃ２８に記載の方法。
[Ｃ３２]  前記ＵＬチャネル上で、時間領域におけるクロススロット符号分割多重化（ＣＤＭ）、周波数領域におけるＣＤＭ、周波数領域多重化（ＦＤＭ）、またはそれらの組合せを使用して送信すること
をさらに備える、Ｃ２８に記載の方法。
[Ｃ３３]  ユーザ機器（ＵＥ）デバイスにおけるワイヤレス通信のための装置であって、
プロセッサと、
前記プロセッサと電子通信しているメモリと、
前記メモリに記憶された命令と
を備え、前記命令が、
複数のサブフレーム中で狭帯域通信のために時間リソースおよび周波数リソースを識別することと、
前記ＵＥデバイスのためのアップリンク（ＵＬ）制御情報を搬送するために、ＵＬチャネルに割り振られた前記時間リソースおよび前記周波数リソースのうちの少なくとも第１の部分の指示を受信することと、
前記ＵＬチャネル上で、ダウンリンク肯定応答（ＡＣＫ）とダウンリンク否定応答（ＮＡＫ）の一方または両方を送信することと
を行うために前記プロセッサによって実行可能である、
装置。
[Ｃ３４]  前記命令が、
物理アップリンク共有チャネル（ＰＵＳＣＨ）を送信するために前記プロセッサによって実行可能であり、ここにおいて、前記ＵＬチャネルが前記ＰＵＳＣＨと多重化される、Ｃ３３に記載の装置。
[Ｃ３５]  前記ＵＬチャネルが専用物理アップリンク制御チャネル（ＰＵＣＣＨ）を備える、Ｃ３３に記載の装置。
[Ｃ３６]  前記命令が、
前記ＵＬチャネル上で同数の基準シンボルおよびデータシンボルを送信する
ために前記プロセッサによって実行可能である、Ｃ３３に記載の装置。
[Ｃ３７]  前記命令が、
前記ＵＬチャネル上で、時間領域におけるクロススロット符号分割多重化（ＣＤＭ）、周波数領域におけるＣＤＭ、周波数領域多重化（ＦＤＭ）、またはそれらの組合せを使用して送信する
ために前記プロセッサによって実行可能である、Ｃ３３に記載の装置。